(57)【特許請求の範囲】
【請求項１】
移動通信システムにおける無線通信装置であって、
複数のシグネチャパターンを予め格納する格納手段と、
前記複数のシグネチャパターンから選択されたシグネチャパターンと受信シンボルとの相関を計算する相関計算手段と、
前記相関結果からパワーを計算するパワー計算手段と、
前記相関結果と前記パワー計算結果とを用いてＡＩＣＨ（Acquisition Indicator Channel）およびＥＡＩＣＨ（Enhanced Acquisition Indicator Channel）のシンボルを判定する判定手段と、
を有し、
前記判定手段は、
前記複数のシグネチャパターンのうち制御信号の送信に用いた第１シグネチャパターンと前記受信シンボルとの第１相関結果のパワーとＩＱ座標平面上の位相とに基づいて、ＡＩＣＨおよびＥＡＩＣＨのシンボルを判定し、
前記第１相関結果の位相が前記ＩＱ座標平面上の第３象限に位置する場合には、前記相関計算手段が前記第１シグネチャパターン以外の第２シグネチャパターンと前記受信シンボルとの第２相関結果を計算し、前記パワー計算手段により計算された前記第２相関結果のパワーとＩＱ座標平面上の位相とに基づいてＥＡＩＣＨのシンボルを判定し、
前記パワー計算結果が所定のしきい値より大きいか否かに依存してＡＩＣＨおよびＥＡＩＣＨが同一の第１シグネチャパターンで送信されているか否かを判定し、
同一の第１シグネチャパターンで送信されていると判定された場合にはＡＩＣＨのシンボルを負応答(Negative Acknowledgement)と判定すると共に前記相関結果のＱ成分とＩ成分との比較結果に応じてＥＡＩＣＨのシンボルを判定する、
ことを特徴とする無線通信装置。
【請求項２】
移動通信システムにおける無線通信装置であって、
複数のシグネチャパターンを予め格納する格納手段と、
前記複数のシグネチャパターンから選択されたシグネチャパターンと受信シンボルとの相関を計算する相関計算手段と、
前記相関結果からパワーを計算するパワー計算手段と、
前記相関結果と前記パワー計算結果とを用いてＡＩＣＨ（Acquisition Indicator Channel）およびＥＡＩＣＨ（Enhanced Acquisition Indicator Channel）のシンボルを判定する判定手段と、
を有し、
前記判定手段は、
前記複数のシグネチャパターンのうち制御信号の送信に用いた第１シグネチャパターンと前記受信シンボルとの第１相関結果のパワーとＩＱ座標平面上の位相とに基づいて、ＡＩＣＨおよびＥＡＩＣＨのシンボルを判定し、
前記第１相関結果の位相が前記ＩＱ座標平面上の第３象限に位置する場合には、前記相関計算手段が前記第１シグネチャパターン以外の第２シグネチャパターンと前記受信シンボルとの第２相関結果を計算し、前記パワー計算手段により計算された前記第２相関結果のパワーとＩＱ座標平面上の位相とに基づいてＥＡＩＣＨのシンボルを判定し、
前記パワー計算結果が所定のしきい値より大きいか否かに依存してＡＩＣＨおよびＥＡＩＣＨが同一の第１シグネチャパターンで送信されているか否かを判定し、
同一の第１シグネチャパターンで送信されていると判定された場合にはＡＩＣＨのシンボルを負応答(Negative Acknowledgement)と判定すると共に前記相関結果のＱ成分とＩ成分との比較結果に応じてＥＡＩＣＨのシンボルを判定し、
同一の第１シグネチャパターンで送信されていない場合、前記相関結果の位相がＩＱ座標平面上の第１象限に位置すればＡＩＣＨのシンボルを正応答(Positive Acknowledgement)と判定する、
ことを特徴とする無線通信装置。
【請求項３】
前記判定手段は、ＥＡＩＣＨのシンボルを判定するまで、前記複数のシグネチャパターンから前記第２シグネチャパターンを順次選択することを特徴とする請求項１又は２に記載の無線通信装置。
【請求項４】
前記判定手段は、前記第２相関結果の位相が前記ＩＱ座標平面上の第１象限に位置する場合にはＥＡＩＣＨのシンボルを正応答と判定し、第３象限に位置する場合には負応答と判定することを特徴とする請求項３に記載の無線通信装置。
【請求項５】
無線通信装置におけるＡＩＣＨ（Acquisition Indicator Channel）およびＥＡＩＣＨ（Enhanced Acquisition Indicator Channel）の検出方法であって、
前記無線通信装置が、複数のシグネチャパターンを予め格納する格納手段と、前記複数のシグネチャパターンから選択されたシグネチャパターンと受信シンボルとの相関を計算する相関計算手段と、前記相関結果からパワーを計算するパワー計算手段と、前記相関結果と前記パワー計算結果とを用いてＡＩＣＨおよびＥＡＩＣＨのシンボルを判定する判定手段と、を有し、
前記判定手段は、
前記複数のシグネチャパターンのうち制御信号の送信に用いた第１シグネチャパターンと前記受信シンボルとの第１相関結果のパワーとＩＱ座標平面上の位相とに基づいて、ＡＩＣＨおよびＥＡＩＣＨのシンボルを判定し、
前記第１相関結果の位相が前記ＩＱ座標平面上の第３象限に位置する場合には、前記相関計算手段が前記第１シグネチャパターン以外の第２シグネチャパターンと前記受信シンボルとの第２相関結果を計算し、前記パワー計算手段により計算された前記第２相関結果のパワーとＩＱ座標平面上の位相とに基づいてＥＡＩＣＨのシンボルを判定し、
前記パワー計算結果が所定のしきい値より大きいか否かに依存してＡＩＣＨおよびＥＡＩＣＨが同一の第１シグネチャパターンで送信されているか否かを判定し、
同一の第１シグネチャパターンで送信されていると判定された場合にはＡＩＣＨのシンボルを負応答(Negative Acknowledgement)と判定すると共に前記相関結果のＱ成分とＩ成分との比較結果に応じてＥＡＩＣＨのシンボルを判定する、
ことを特徴とするＡＩＣＨ／ＥＡＩＣＨ検出方法。
【請求項６】
無線通信装置におけるＡＩＣＨ（Acquisition Indicator Channel）およびＥＡＩＣＨ（Enhanced Acquisition Indicator Channel）の検出方法であって、
前記無線通信装置が、複数のシグネチャパターンを予め格納する格納手段と、前記複数のシグネチャパターンから選択されたシグネチャパターンと受信シンボルとの相関を計算する相関計算手段と、前記相関結果からパワーを計算するパワー計算手段と、前記相関結果と前記パワー計算結果とを用いてＡＩＣＨおよびＥＡＩＣＨのシンボルを判定する判定手段と、を有し、
前記判定手段は、
前記複数のシグネチャパターンのうち制御信号の送信に用いた第１シグネチャパターンと前記受信シンボルとの第１相関結果のパワーとＩＱ座標平面上の位相とに基づいて、ＡＩＣＨおよびＥＡＩＣＨのシンボルを判定し、
前記第１相関結果の位相が前記ＩＱ座標平面上の第３象限に位置する場合には、前記相関計算手段が前記第１シグネチャパターン以外の第２シグネチャパターンと前記受信シンボルとの第２相関結果を計算し、前記パワー計算手段により計算された前記第２相関結果のパワーとＩＱ座標平面上の位相とに基づいてＥＡＩＣＨのシンボルを判定し、
前記パワー計算結果が所定のしきい値より大きいか否かに依存してＡＩＣＨおよびＥＡＩＣＨが同一の第１シグネチャパターンで送信されているか否かを判定し、
同一の第１シグネチャパターンで送信されていると判定された場合にはＡＩＣＨのシンボルを負応答(Negative Acknowledgement)と判定すると共に前記相関結果のＱ成分とＩ成分との比較結果に応じてＥＡＩＣＨのシンボルを判定し、
同一の第１シグネチャパターンで送信されていない場合、前記相関結果の位相がＩＱ座標平面上の第１象限に位置すればＡＩＣＨのシンボルを正応答(Positive Acknowledgement)と判定する、
ことを特徴とするＡＩＣＨ／ＥＡＩＣＨ検出方法。
【請求項７】
無線通信装置におけるプログラム制御プロセッサにＡＩＣＨ（Acquisition Indicator Channel）およびＥＡＩＣＨ（Enhanced Acquisition Indicator Channel）の検出機能を実現するプログラムであって、
前記無線通信装置が、複数のシグネチャパターンを予め格納する格納手段と、前記複数のシグネチャパターンから選択されたシグネチャパターンと受信シンボルとの相関を計算する相関計算手段と、前記相関結果からパワーを計算するパワー計算手段と、前記相関結果と前記パワー計算結果とを用いてＡＩＣＨおよびＥＡＩＣＨのシンボルを判定する判定手段と、を有し、
前記判定手段が、
前記複数のシグネチャパターンのうち制御信号の送信に用いた第１シグネチャパターンと前記受信シンボルとの第１相関結果のパワーとＩＱ座標平面上の位相とに基づいて、ＡＩＣＨおよびＥＡＩＣＨのシンボルを判定し、
前記第１相関結果の位相が前記ＩＱ座標平面上の第３象限に位置する場合には、前記相関計算手段が前記第１シグネチャパターン以外の第２シグネチャパターンと前記受信シンボルとの第２相関結果を計算し、前記パワー計算手段により計算された前記第２相関結果のパワーとＩＱ座標平面上の位相とに基づいてＥＡＩＣＨのシンボルを判定し、
前記パワー計算結果が所定のしきい値より大きいか否かに依存してＡＩＣＨおよびＥＡＩＣＨが同一の第１シグネチャパターンで送信されているか否かを判定し、
同一の第１シグネチャパターンで送信されていると判定された場合にはＡＩＣＨのシンボルを負応答(Negative Acknowledgement)と判定すると共に前記相関結果のＱ成分とＩ成分との比較結果に応じてＥＡＩＣＨのシンボルを判定する、
ように前記プログラム制御プロセッサを機能させることを特徴とするプログラム。
【請求項８】
無線通信装置におけるプログラム制御プロセッサにＡＩＣＨ（Acquisition Indicator Channel）およびＥＡＩＣＨ（Enhanced Acquisition Indicator Channel）の検出機能を実現するプログラムであって、
前記無線通信装置が、複数のシグネチャパターンを予め格納する格納手段と、前記複数のシグネチャパターンから選択されたシグネチャパターンと受信シンボルとの相関を計算する相関計算手段と、前記相関結果からパワーを計算するパワー計算手段と、前記相関結果と前記パワー計算結果とを用いてＡＩＣＨおよびＥＡＩＣＨのシンボルを判定する判定手段と、を有し、
前記判定手段が、
前記複数のシグネチャパターンのうち制御信号の送信に用いた第１シグネチャパターンと前記受信シンボルとの第１相関結果のパワーとＩＱ座標平面上の位相とに基づいて、ＡＩＣＨおよびＥＡＩＣＨのシンボルを判定し、
前記第１相関結果の位相が前記ＩＱ座標平面上の第３象限に位置する場合には、前記相関計算手段が前記第１シグネチャパターン以外の第２シグネチャパターンと前記受信シンボルとの第２相関結果を計算し、前記パワー計算手段により計算された前記第２相関結果のパワーとＩＱ座標平面上の位相とに基づいてＥＡＩＣＨのシンボルを判定し、
前記パワー計算結果が所定のしきい値より大きいか否かに依存してＡＩＣＨおよびＥＡＩＣＨが同一の第１シグネチャパターンで送信されているか否かを判定し、
同一の第１シグネチャパターンで送信されていると判定された場合にはＡＩＣＨのシンボルを負応答(Negative Acknowledgement)と判定すると共に前記相関結果のＱ成分とＩ成分との比較結果に応じてＥＡＩＣＨのシンボルを判定し、
同一の第１シグネチャパターンで送信されていない場合、前記相関結果の位相がＩＱ座標平面上の第１象限に位置すればＡＩＣＨのシンボルを正応答(Positive Acknowledgement)と判定する、
ように前記プログラム制御プロセッサを機能させることを特徴とするプログラム。
【発明の詳細な説明】
【技術分野】
【０００１】
本発明は無線通信装置に係り、特にシンボル相関を用いてＡＩＣＨ／ＥＡＩＣＨを検出する方法およびそれを用いた無線通信装置に関する。
【背景技術】
【０００２】
第３世代の移動通信システムであるＷ−ＣＤＭＡ（広帯域符号分割多元接続）において、ＣＥＬＬ＿ＦＡＣＨ状態にある移動局（ＵＥ:user equipment)は、主基地局を特定しておらず、通信するごとに最適な基地局を選択する。また、ＣＥＬＬ＿ＦＡＣＨ状態にある移動局には個別チャネルが割り当てられていないので、上下方向のデータ送受信は共通チャネル(common channel)を用いて行われる。上り共通チャネルであるＲＡＣＨ（Random Access Channel）の動作は、第３世代移動通信システムの標準化プロジェクト３ＧＰＰ(3rd Generation Partnership Project)の仕様書に規定されている（非特許文献１参照）。以下、図１および図２を参照して、上り共通チャネルＲＡＣＨの動作を簡単に説明する。
【０００３】
図１は一般的な移動通信システムの構成を示すブロック図である。ここでは、基地局１０のセル内に複数の移動局２０が位置しており、これら移動局はＣＥＬＬ＿ＦＡＣＨ状態にあるものとする。基地局１０は上位のネットワーク装置３０に接続されているものとする。
【０００４】
図２はＲＡＣＨシーケンス図である。ＲＡＣＨには、プリアンブル・シグネチャCsig,sとプリアンブル・スクランブリング符号Sr-pre,nという拡散符号が用いられる。プリアンブル・スクランブリング符号Sr-pre,nは基地局が通知するセル識別用符号である。プリアンブル・シグネチャCsig,sは各移動局が所定のプリアンブル・シグネチャ(Csig,1, Csig,2, …, Csig,m）からランダムに選択したものである。
【０００５】
図２に示すように、まず、移動局２０は、基地局１０が通知したプリアンブル・スクランブリング符号Sr-pre,nと、自局がランダムに選択したプリアンブル・シグネチャCsig,sとを用いてプリアンブル部の符号データを生成し、基地局１０のパイロットチャネルの受信電力量から算出した初期送信電力値で基地局に送信する。
【０００６】
基地局１０は、受信したプリアンブルに対して、ＡＩＣＨ（Acquisition Indicator Channel）を用いて応答通知を移動局２０に送信する。この応答通知は、プリアンブル・シグネチャCsig,sに対応するＡＩ(Acquisition Indicator）とＥ−ＤＣＨ(Enhanced Uplink Dedicated Channel)リソース構成を示すＥＡＩ(Enhanced Acquisition Indicators)とを含むことができる。ＡＩの意味は、移動局がＰＲＡＣＨに対応したプリアンブル・シグネチャを送信したか、Ｅ−ＤＣＨに対応するプリアンブル・シグネチャを送信したかに依存して変わるさらに、。移動局がＥ−ＤＣＨに対応するプリアンブル・シグネチャを送信した場合、ＡＩの意味はＥＡＩが構成されているか否かに依存して変わる。この点については後述する。
【０００７】
ＷＣＤＭＡ無線通信システムでは、シグネチャ番号に対するシグネチャパターン間の直交性を利用し、ＡＩＣＨ検出対象のシンボルデータＩａ、Ｑａとシグネチャ番号に対するシグネチャパターンとの間で相関を取る方法がある（たとえば特許文献１参照）。
【０００８】
一例を示すと、図３（Ａ）および図３（Ｂ）に示すように、伝送路推定により得られた受信シンボルＩａ、Ｑａを入力し（ステップ１１）、シグネチャ番号Ｓ１のＡＩＣＨシグネチャパターンとの間で相関計算を行う（ステップ１２）。その相関結果Ｉｂ、Ｑｂの正負を判定する（ステップ１３および１４）。図３（Ｂ）に示すように、（Ｉｂ、Ｑｂ）が第３象限にあれば（ステップ１３のＹＥＳ）、ＡＩＣＨ＝Negative acknowledgement（ステップ１５）、第１象限にあれば（ステップ１３のＮＯ、ステップ１４のＹＥＳ）、ＡＩＣＨ＝Positive acknowledgement（ステップ１６）、それ以外は（ステップ１３のＮＯ、ステップ１４のＮＯ）、未検出と判定される（ステップ１７）。以下、Negative acknowledgementを「Ｎｅｇ」と、Positive acknowledgementを「Ｐｏｓ」と略記する。
【０００９】
ＥＡＩＣＨの検出も、シグネチャ番号Ｓ１に対するＡＩＣＨシグネチャパターンあるいはシグネチャ番号Ｓ１に対するＥＡＩＣＨのシグネチャパターンとの間で相関を取る事で検出できる。ただし、ＡＩＣＨのシグネチャパターンを使用した場合に、相関結果が第２象限にあればＥＡＩＣＨ＝Ｎｅｇ、第４象限にあればＥＡＩＣＨ＝Ｐｏｓ、ＥＡＩＣＨのシグネチャパターンを使用した場合に、相関結果が第１象限にあればＥＡＩＣＨ＝Ｐｏｓ、第３象限にあればＥＡＩＣＨ＝Ｎｅｇ、それ以外は未検出と判定される。このことは非特許文献１の５．３．３．７の記載からもわかる。すなわち、非特許文献１の当該記載によれば、１つのセルに複数のＰＲＡＣＨプリアンブル・スクランブリング符号が定義されている場合は、各符号に対して次の規則が独立に使用される：
・移動局がＰＲＡＣＨプリアンブルシグネチャを送信した場合、その応答通知としてＡＩ＝＋１であればＰｏｓ；ＡＩ＝−１であればＮｅｇである；
・移動局がＥ−ＤＣＨシグネチャを送信した場合、ＡＩ＝＋１であればＰｏｓであると共にデフォルトのＥ−ＤＣＨリソース構成が移動局に割り当てられる；ＡＩ＝−１でＥＡＩが非構成であればＮｅｇであり、ＡＩ＝−１でＥＡＩが構成されていれば、移動局はＥＡＩシグネチャのいずれが存在するかを検出する。
【先行技術文献】
【特許文献】
【００１０】
【特許文献１】特開２００３−２２９７８７号公報
【非特許文献】
【００１１】
【非特許文献１】3GPP TS25.211 V9.2.0 (2010-09)
【発明の概要】
【発明が解決しようとする課題】
【００１２】
しかしながら、ＡＩＣＨ、ＥＡＩＣＨのシグネチャ番号が衝突し、多重化されて送られてきた場合は、ＡＩＣＨ検出において誤判定が生じる場合がある。同様にＥＡＩＣＨ検出も誤判定する可能性がある。例えば、図３（Ｃ）に示すような相関結果が得られとする。この相関結果はＡＩＣＨあるいはＥＡＩＣＨの伝送路推定が不完全なために理想位置から位相がすれているのか、ＡＩＣＨ、ＥＡＩＣＨが同じシグネチャ番号で多重されたために点線矢印４１で表すＡＩＣＨと一点鎖線矢印４２で表すＥＡＩＣＨとの合成シンボルなのかを判別することができない。図３（Ｃ）に示す相関結果がＡＩＣＨの相関結果とすれば、上述の検出方法に従い未検出の判定結果となるが、ＡＩＣＨとＥＡＩＣＨの合成シンボルであるなら、ＡＩＣＨ＝Ｎｅｇ、ＥＡＩＣＨ＝Ｐｏｓと判定されなければならない。
【００１３】
そこで、本発明の目的は、ＡＩＣＨ、ＥＡＩＣＨをそれぞれのシグネチャ番号が衝突してもＡＩＣＨ、ＥＡＩＣＨ検出の誤判定を避けることができる無線通信装置およびＡＩＣＨ／ＥＡＩＣＨ検出方法を提供することにある。
【課題を解決するための手段】
【００１４】
本発明による無線通信装置は、移動通信システムにおける無線通信装置であって、複数のシグネチャパターンを予め格納する格納手段と、前記複数のシグネチャパターンから選択されたシグネチャパターンと受信シンボルとの相関を計算する相関計算手段と、前記相関結果からパワーを計算するパワー計算手段と、前記相関結果と前記パワー計算結果とを用いてＡＩＣＨ（Acquisition Indicator Channel）およびＥＡＩＣＨ（Enhanced Acquisition Indicator Channel）のシンボルを判定する判定手段と、を有し、前記判定手段は、前記複数のシグネチャパターンのうち制御信号の送信に用いた第１シグネチャパターンと前記受信シンボルとの第１相関結果のパワーとＩＱ座標平面上の位相とに基づいて、ＡＩＣＨおよびＥＡＩＣＨのシンボルを判定し、前記第１相関結果の位相が前記ＩＱ座標平面上の第３象限に位置する場合には、前記相関計算手段が前記第１シグネチャパターン以外の第２シグネチャパターンと前記受信シンボルとの第２相関結果を計算し、前記パワー計算手段により計算された前記第２相関結果のパワーとＩＱ座標平面上の位相とに基づいてＥＡＩＣＨのシンボルを判定し、前記パワー計算結果が所定のしきい値より大きいか否かに依存してＡＩＣＨおよびＥＡＩＣＨが同一の第１シグネチャパターンで送信されているか否かを判定し、同一の第１シグネチャパターンで送信されていると判定された場合にはＡＩＣＨのシンボルを負応答(Negative Acknowledgement)と判定すると共に前記相関結果のＱ成分とＩ成分との比較結果に応じてＥＡＩＣＨのシンボルを判定する、ことを特徴とする。
また、本発明による無線通信装置は、移動通信システムにおける無線通信装置であって、複数のシグネチャパターンを予め格納する格納手段と、前記複数のシグネチャパターンから選択されたシグネチャパターンと受信シンボルとの相関を計算する相関計算手段と、前記相関結果からパワーを計算するパワー計算手段と、前記相関結果と前記パワー計算結果とを用いてＡＩＣＨ（Acquisition Indicator Channel）およびＥＡＩＣＨ（Enhanced Acquisition Indicator Channel）のシンボルを判定する判定手段と、を有し、前記判定手段は、前記複数のシグネチャパターンのうち制御信号の送信に用いた第１シグネチャパターンと前記受信シンボルとの第１相関結果のパワーとＩＱ座標平面上の位相とに基づいて、ＡＩＣＨおよびＥＡＩＣＨのシンボルを判定し、前記第１相関結果の位相が前記ＩＱ座標平面上の第３象限に位置する場合には、前記相関計算手段が前記第１シグネチャパターン以外の第２シグネチャパターンと前記受信シンボルとの第２相関結果を計算し、前記パワー計算手段により計算された前記第２相関結果のパワーとＩＱ座標平面上の位相とに基づいてＥＡＩＣＨのシンボルを判定し、前記パワー計算結果が所定のしきい値より大きいか否かに依存してＡＩＣＨおよびＥＡＩＣＨが同一の第１シグネチャパターンで送信されているか否かを判定し、同一の第１シグネチャパターンで送信されていると判定された場合にはＡＩＣＨのシンボルを負応答(Negative Acknowledgement)と判定すると共に前記相関結果のＱ成分とＩ成分との比較結果に応じてＥＡＩＣＨのシンボルを判定し、同一の第１シグネチャパターンで送信されていない場合、前記相関結果の位相がＩＱ座標平面上の第１象限に位置すればＡＩＣＨのシンボルを正応答(Positive Acknowledgement)と判定する、ことを特徴とする。
【００１５】
本発明におけるＡＩＣＨ／ＥＡＩＣＨ検出方法は、無線通信装置におけるＡＩＣＨ（Acquisition Indicator Channel）およびＥＡＩＣＨ（Enhanced Acquisition Indicator Channel）の検出方法であって、前記無線通信装置が、複数のシグネチャパターンを予め格納する格納手段と、前記複数のシグネチャパターンから選択されたシグネチャパターンと受信シンボルとの相関を計算する相関計算手段と、前記相関結果からパワーを計算するパワー計算手段と、前記相関結果と前記パワー計算結果とを用いてＡＩＣＨおよびＥＡＩＣＨのシンボルを判定する判定手段と、を有し、前記判定手段は、前記複数のシグネチャパターンのうち制御信号の送信に用いた第１シグネチャパターンと前記受信シンボルとの第１相関結果のパワーとＩＱ座標平面上の位相とに基づいて、ＡＩＣＨおよびＥＡＩＣＨのシンボルを判定し、前記第１相関結果の位相が前記ＩＱ座標平面上の第３象限に位置する場合には、前記相関計算手段が前記第１シグネチャパターン以外の第２シグネチャパターンと前記受信シンボルとの第２相関結果を計算し、前記パワー計算手段により計算された前記第２相関結果のパワーとＩＱ座標平面上の位相とに基づいてＥＡＩＣＨのシンボルを判定し、前記パワー計算結果が所定のしきい値より大きいか否かに依存してＡＩＣＨおよびＥＡＩＣＨが同一の第１シグネチャパターンで送信されているか否かを判定し、同一の第１シグネチャパターンで送信されていると判定された場合にはＡＩＣＨのシンボルを負応答(Negative Acknowledgement)と判定すると共に前記相関結果のＱ成分とＩ成分との比較結果に応じてＥＡＩＣＨのシンボルを判定する、ことを特徴とする。
また、本発明におけるＡＩＣＨ／ＥＡＩＣＨ検出方法は、無線通信装置におけるＡＩＣＨ（Acquisition Indicator Channel）およびＥＡＩＣＨ（Enhanced Acquisition Indicator Channel）の検出方法であって、前記無線通信装置が、複数のシグネチャパターンを予め格納する格納手段と、前記複数のシグネチャパターンから選択されたシグネチャパターンと受信シンボルとの相関を計算する相関計算手段と、前記相関結果からパワーを計算するパワー計算手段と、前記相関結果と前記パワー計算結果とを用いてＡＩＣＨおよびＥＡＩＣＨのシンボルを判定する判定手段と、を有し、前記判定手段は、前記複数のシグネチャパターンのうち制御信号の送信に用いた第１シグネチャパターンと前記受信シンボルとの第１相関結果のパワーとＩＱ座標平面上の位相とに基づいて、ＡＩＣＨおよびＥＡＩＣＨのシンボルを判定し、前記第１相関結果の位相が前記ＩＱ座標平面上の第３象限に位置する場合には、前記相関計算手段が前記第１シグネチャパターン以外の第２シグネチャパターンと前記受信シンボルとの第２相関結果を計算し、前記パワー計算手段により計算された前記第２相関結果のパワーとＩＱ座標平面上の位相とに基づいてＥＡＩＣＨのシンボルを判定し、前記パワー計算結果が所定のしきい値より大きいか否かに依存してＡＩＣＨおよびＥＡＩＣＨが同一の第１シグネチャパターンで送信されているか否かを判定し、同一の第１シグネチャパターンで送信されていると判定された場合にはＡＩＣＨのシンボルを負応答(Negative Acknowledgement)と判定すると共に前記相関結果のＱ成分とＩ成分との比較結果に応じてＥＡＩＣＨのシンボルを判定し、同一の第１シグネチャパターンで送信されていない場合、前記相関結果の位相がＩＱ座標平面上の第１象限に位置すればＡＩＣＨのシンボルを正応答(Positive Acknowledgement)と判定する、ことを特徴とする。
【発明の効果】
【００１６】
本発明によれば、ＡＩＣＨ、ＥＡＩＣＨをそれぞれのシグネチャ番号が衝突してもＡＩＣＨ、ＥＡＩＣＨ検出の誤判定を避けることができる。
【図面の簡単な説明】
【００１７】
【図１】図１は一般的な移動通信システムの構成を示すブロック図である。
【図２】図２はＲＡＣＨシーケンス図である。
【図３】図３（Ａ）は既存のＡＩＣＨ検出手順の一例を示すフローチャート、図３（Ｂ）はＡＩＣＨ検出方法を説明するＩＱ座標図、図３（Ｃ）は信号点がＡＩＣＨとＥＡＩＣＨの合成の結果かどうかを判定できないことを説明するためのＩＱ座標図である。
【図４】図４は本発明の一実施例による無線通信装置の概略的構成を示すブロック図である。
【図５】図５は本実施例におけるＡＩＣＨ／ＥＡＩＣＨ検出部のより詳細な機能的構成を示すブロック図である。
【図６】図６は本実施例によるＡＩＣＨ／ＥＡＩＣＨ検出方法の第１判定手順を示すフローチャートである。
【図７】図７は本実施例によるＡＩＣＨ／ＥＡＩＣＨ検出方法の第２判定手順を示すフローチャートである。
【発明を実施するための形態】
【００１８】
本発明によれば、自端末が送信したシグネチャ番号に対応するシグネチャパターンとの相関を取り、相関結果のパワーおよび位相から第１の判定を行い、第１の判定結果から自端末のシグネチャ番号以外のシグネチャ番号に対するシグネチャパターンとの相関を取り、相関結果のパワー判定および位相から第２の判定を行い、第１の判定結果および第２の判定結果から最終的なＡＩＣＨ／ＥＡＩＣＨ検出結果を得る。このように選択したシグネチャ番号とそれとは異なるシグネチャ番号とをそれぞれ用いて２段階の判定を行うことにより、シグネチャ番号が衝突してもＡＩＣＨ、ＥＡＩＣＨ検出の誤判定を避けることができ、ＡＩＣＨ、ＥＡＩＣＨをそれぞれ正しく検出することができる。以下、本発明の実施形態および実施例について詳細に説明する。
【００１９】
１．無線通信装置
図４を参照すると、本発明の一実施例による無線通信装置では、まず受信部１０１が無線信号を復調してベースバンド信号を逆拡散部１０２へ出力する。逆拡散部１０２は受信データを逆拡散処理し逆拡散データを伝送路推定部１０３へ出力する。伝送路推定部１０３は伝送路推定により位相や振幅の変動を推定して逆拡散データを補償し、受信シンボルデータＩａ［ｋ］，Ｑａ［ｋ］（ｋ＝１〜１６）としてシンボル相関計算部１０４へ出力する。シンボル相関計算部１０４は、後述するようにＡＩＣＨシグネチャパターン１０５を用いて受信シンボルデータとの相関を計算し、その相関結果を検出部１０７が判定する。シンボル相関計算部１０４は、検出部１０７の判定結果に応じて、更にＥＡＩＣＨシグネチャパターン１０６を用いて受信シンボルデータとの相関を計算し、その相関結果を検出部１０７が判定する。詳しい動作は後述する。こうして検出部１０７は、シンボル相関計算部１０４からの相関結果からＡＩＣＨ、ＥＡＩＣＨ検出を行う。シンボル相関計算部１０４、ＡＩＣＨシグネチャパターン１０５、ＥＡＩＣＨシグネチャパターン１０６および検出部１０７が次に述べるＡＩＣＨ／ＥＡＩＣＨ検出部を構成する。
【００２０】
図５にＡＩＣＨ／ＥＡＩＣＨ検出部のより詳細な機能構成を示す。ＡＩＣＨ／ＥＡＩＣＨ検出部は、制御部２０１、シグネチャパターン保存部２０２、シンボル相関計算部２０３、パワー計算部２０４および判定部２０５の各機能から構成される。シグネチャパターン保存部２０２は、後述するＡＩＣＨシグネチャパターンｂ（Ｓ１）およびＥＡＩＣＨシグネチャパターンｃ（Ｓ１）を保存しており、制御部２０１の制御に従って選択されたシグネチャパターンがシンボル相関計算部２０３へ出力される。シンボル相関計算部２０３は、制御部２０１の制御に従って、伝送路推定部出力シンボルＩａ［ｋ］，Ｑａ［ｋ］を入力し、選択されたシグネチャパターンとの相関をとり、相関結果Ｉｂ，Ｑｂをパワー計算部２０４および判定部２０５へそれぞれ出力する。判定部２０５は、パワー計算部２０４から入力するパワー計算結果とシンボル相関計算部２０３から入力する相関結果Ｉｂ，Ｑｂとを用いてＡＩＣＨ／ＥＡＩＣＨを検出する。
【００２１】
なお、制御部２０１、シンボル相関計算部２０３、パワー計算部２０４および判定部２０５の機能は、図示しないメモリに格納されたプログラムをプログラム制御プロセッサ上で実行することにより実現することもできる。以下、図６および図７を参照しながらＡＩＣＨ／ＥＡＩＣＨ検出動作について詳述する。
【００２２】
２．ＡＩＣＨ／ＥＡＩＣＨ検出動作
図６において、まず制御部２０１は、自端末から送ったシグネチャ番号Ｓ１のシグネチャパターンｂ（Ｓ１）をシグネチャパターン保存部２０２から読み出しシンボル相関計算部２０３へ転送すると共に、ＡＩＣＨ、ＥＡＩＣＨ検出対象となる受信シンボルデータＩａ［ｋ］，Ｑａ［ｋ］をシンボル相関計算部２０３へ送る（ステップ３０１）。
【００２３】
シンボル相関計算部２０３は、受信シンボルデータＩａ［ｋ］，Ｑａ［ｋ］とシグネチャパターンｂ（Ｓ１）との相関を次式により計算し、相関結果Ｉｂ，Ｑｂを生成する（ステップ３０２）。
【００２４】
Ｉｂ＝Σｂ(S1)[2k]・Ｉａ[k]
Ｑｂ＝Σｂ(S1)[2k+1]・Ｉａ[k]
異なるシグネチャ番号のシグネチャパターン間は直交しているため、シグネチャ番号の異なるシグネチャパターンとの相関計算結果Ｉｂ，Ｑｂは理想的にはゼロとなり、シグネチャ番号が一致した場合は相関が取れる。
【００２５】
続いて、パワー計算部２０４が相関計算結果Ｉｂ，ＱｂのパワーＰｂを計算し判定部２０５へ出力する（ステップ３０３）。判定部２０５はパワー計算結果Ｐｂとパワー判定しきい値Ｐ１とを比較し（ステップ３０４）、Ｐｂ＜Ｐ１ならば（ステップ３０４のＹＥＳ）、自端末から送ったシグネチャ番号Ｓ１で基地局からのＡＩＣＨ送信はなかったと判断し、ＡＩＣＨ未検出を上位システムに返す（ステップ３１２）。Ｐｂ≧Ｐ１ならば（ステップ３０４のＮＯ）、判定部２０５はパワー計算結果Ｐｂとパワー判定しきい値Ｐ２とを比較する（ステップ３０５）。ここで、Ｐ２はＡＩＣＨシンボルパワーより大きく、（ＡＩＣＨ＋ＥＡＩＣＨ）シンボルパワーより小さい値である。パワー判定しきい値Ｐ２を基準として、ＡＩＣＨ＋ＥＡＩＣＨが同じシグネチャ番号Ｓ１で送信されてきたか否かを判断することができる。
【００２６】
Ｐｂ＞Ｐ２ならば（ステップ３０５のＹＥＳ）、判定部２０５はＡＩＣＨ＋ＥＡＩＣＨが同じシグネチャ番号Ｓ１で送信されてきたと判断し、さらに相関計算結果ＩｂとＱｂの大きさを比較する（ステップ３０６）。Ｑｂ＜Ｉｂならば（ステップ３０６のＹＥＳ）、ＡＩＣＨ＝Ｎｅｇ、ＥＡＩＣＨ＝Ｎｅｇと判断し上位システムに返す（ステップ３０７）。Ｑｂ≧Ｉｂならば（ステップ３０６のＮＯ）、ＡＩＣＨ＝Ｎｅｇ、ＥＡＩＣＨ＝Ｐｏｓと判断し上位システムに返す（ステップ３０８）。
【００２７】
Ｐｂ≦Ｐ２ならば（ステップ３０５のＮＯ）、判定部２０５はシグネチャ番号Ｓ１でＡＩＣＨが送信されていると判断し、相関計算結果Ｉｂ，ＱｂのＩＱ座標系での位置を判定する。まずＩｂ＞０かつＱｂ＞０であれば（ステップ３０９のＹＥＳ）、ＩＱ座標系の第１象限にあるのでＡＩＣＨ＝Ｐｏｓと判定し上位システムに返す（ステップ３１０）。Ｉｂ＜０かつＱｂ＜０であれば（ステップ３０９のＮＯ、ステップ３１１のＹＥＳ）、ＩＱ座標系の第３象限にあるのでＡＩＣＨ＝Ｎｅｇと判定されるが、この場合には他のシグネチャ番号Ｓ２(≠S1)でＥＡＩＣＨが送られて来ている可能性があるので、引き続きＥＡＩＣＨの検出に移る（図７へ）。なお、それ以外の場合には（ステップ３１１のＮＯ）、自端末から送ったシグネチャ番号Ｓ１で基地局からのＡＩＣＨ送信はなかったと判断し、ＡＩＣＨ未検出を上位システムに返す（ステップ３１２）。
【００２８】
図７において、相関計算結果Ｉｂ，ＱｂがＩＱ座標系の第３象限にある場合、制御部２０１は、シグネチャパターン保存部２０２をサーチして、未だ検出のために読み出されていない他のシグネチャ番号Ｓ２(≠S1)があるかどうかをチェックする（ステップ３１３）。他のシグネチャ番号Ｓ２が存在すれば（ステップ３１３のＹＥＳ）、制御部２０１は、シグネチャパターンｂ（Ｓ２）をシグネチャパターン保存部２０２から読み出しシンボル相関計算部２０３へ転送すると共に、ＡＩＣＨ、ＥＡＩＣＨ検出対象となる受信シンボルデータＩａ［ｋ］，Ｑａ［ｋ］をシンボル相関計算部２０３へ送る（ステップ３１４）。すなわち、シグネチャ番号Ｓ２に対するＥＡＩＣＨのシグネチャパターンｂ（Ｓ２）で同じ検証対象シンボルＩａ［ｋ］，Ｑａ［ｋ］に対し相関計算を行う。
【００２９】
シンボル相関計算部２０３は、受信シンボルデータＩａ［ｋ］，Ｑａ［ｋ］とシグネチャパターンｂ（Ｓ２）との相関を次式により計算し、相関結果Ｉｃ，Ｑｃを生成する（ステップ３１４）。
【００３０】
Ｉｃ＝Σｂ(S2)[2k]・Ｉａ[k]
Ｑｃ＝Σｂ(S2)[2k+1]・Ｉａ[k]
異なるシグネチャ番号のシグネチャパターン間は直交しているため、シグネチャ番号の異なるシグネチャパターンとの相関計算結果Ｉｃ，Ｑｃは理想的にはゼロとなり、シグネチャ番号が一致した場合は相関が取れる。
【００３１】
続いて、パワー計算部２０４が相関計算結果Ｉｃ，ＱｃのパワーＰｃを計算し判定部２０５へ出力する（ステップ３１５）。判定部２０５はパワー計算結果Ｐｃとパワー判定しきい値Ｐ１とを比較し（ステップ３１５）、Ｐｃ＜Ｐ１ならば（ステップ３１６のＹＥＳ）、自端末から送ったシグネチャ番号Ｓ２で基地局からのＡＩＣＨもＥＡＩＣＨも送信されていないと判断し、ステップ３１３に戻って次のシグネチャ番号Ｓ２に進む。
【００３２】
Ｐｃ≧Ｐ１ならば（ステップ３１６のＮＯ）、判定部２０５はパワー計算結果Ｐｃとパワー判定しきい値Ｐ２とを比較する（ステップ３１７）。
【００３３】
Ｐｃ＞Ｐ２ならば（ステップ３１７のＹＥＳ）、判定部２０５はＡＩＣＨ＋ＥＡＩＣＨが同じシグネチャ番号Ｓ２で送信されてきたと判断し、さらに相関計算結果−ＩｃとＱｃとの大きさを比較する（ステップ３１８）。Ｑｃ＜−Ｉｃならば（ステップ３１８のＹＥＳ）、ＥＡＩＣＨ＝Ｐｏｓと判断し、上述したようにＡＩＣＨ＝Ｎｅｇであるから、これらを上位システムに返す（ステップ３１９）。Ｑｃ≧−Ｉｃならば（ステップ３１８のＮＯ）、ＥＡＩＣＨ＝Ｎｅｇと判断し、同じくＡＩＣＨ＝Ｎｅｇであるから、これらを上位システムに返す（ステップ３２０）。この時のＡＩＣＨはシグネチャ番号が違う事から自端末へのＡＩＣＨではないので、ＡＩＣＨとしての判定は行わない。
【００３４】
Ｐ２≧Ｐｃ≧Ｐ１であれば（ステップ３１７のＮＯ）、判定部２０５は相関計算結果Ｉｃ，ＱｃのＩＱ座標系での位相を判定する。まずＩｃ＞０かつＱｃ＞０であれば（ステップ３２１のＹＥＳ）、ＩＱ座標系の第１象限にあるので上述したステップ３１９へ、Ｉｃ＜０かつＱｃ＜０であれば（ステップ３２１のＮＯ、ステップ３２２のＹＥＳ）、ＩＱ座標系の第３象限にあるので上述したステップ３２０へそれぞれ進む。
【００３５】
それ以外の場合、すなわちＩｃ，Ｑｃが第２あるいは第４象限である場合には（ステップ３２２のＮＯ）、シグネチャパターンＳ２で送信されてきたのはＡＩＣＨであり、このシグネチャ番号のＥＡＩＣＨはないと判断し、ステップ３１３に戻って次のシグネチャ番号Ｓ２に進む。以上の動作をＥＡＩＣＨの検出結果が得られるまで、全てのシグネチャ番号Ｓ２に対して繰り返す。
【００３６】
ＥＡＩＣＨの検出結果が得られる前にシグネチャ番号Ｓ２をすべて検出した場合には（ステップ３１３のＮＯ）、ＡＩＣＨ＝Ｎｅｇとし、ＥＡＩＣＨを未検出として上位システムに返す（ステップ３２３）。
【００３７】
３．効果
以上述べた本発明の実施例によれば、ＡＩＣＨ、ＥＡＩＣＨが同じシグネチャ番号で送信されてきてもＡＩＣＨ、ＥＡＩＣＨを正しく判定することができる。
【００３８】
４．他の実施例
上記実施例ではＥＡＩＣＨ検出においてはＥＡＩＣＨのシグネチャパターンを利用したが、ＡＩＣＨのシグネチャパターンでも構わない。判定条件が変更になるだけである。この場合、両方のシグネチャパターンを例えばシグネチャパターン保存部２０２に保持する必要がないという利点がある。
【００３９】
５．付記
上述した実施形態の一部あるいは全部は、以下の付記のようにも記載されうるが、これらに限定されるものではない。
【００４０】
（付記１）
（付記１）
移動通信システムにおける無線通信装置であって、
複数のシグネチャパターンを予め格納する格納手段と、
前記複数のシグネチャパターンから選択されたシグネチャパターンと受信シンボルとの相関を計算する相関計算手段と、
前記相関結果からパワーを計算するパワー計算手段と、
前記相関結果と前記パワー計算結果とを用いてＡＩＣＨ（Acquisition Indicator Channel）およびＥＡＩＣＨ（Enhanced Acquisition Indicator Channel）のシンボルを判定する判定手段と、
を有し、
前記判定手段が、前記複数のシグネチャパターンのうち制御信号の送信に用いた第１シグネチャパターンと前記受信シンボルとの第１相関結果のパワーとＩＱ座標平面上の位相とに基づいて、ＡＩＣＨおよびＥＡＩＣＨのシンボルを判定し、
前記第１相関結果の位相が前記ＩＱ座標平面上の第３象限に位置する場合には、前記相関計算手段が前記第１シグネチャパターン以外の第２シグネチャパターンと前記受信シンボルとの第２相関結果を計算し、前記判定手段が前記パワー計算手段により計算された前記第２相関結果のパワーとＩＱ座標平面上の位相とに基づいてＥＡＩＣＨのシンボルを判定する、
ことを特徴とする無線通信装置。
【００４１】
（付記２）
前記判定手段は、
前記パワー計算結果が所定のしきい値より大きいか否かに依存してＡＩＣＨおよびＥＡＩＣＨが同一の第１シグネチャパターンで送信されているか否かを判定し、
同一の第１シグネチャパターンで送信されていると判定された場合にはＡＩＣＨのシンボルを負応答(Negative Acknowledgement)と判定すると共に前記相関結果のＱ成分とＩ成分との比較結果に応じてＥＡＩＣＨのシンボルを判定する、ことを特徴とする付記１に記載の無線通信装置。
【００４２】
（付記３）
前記判定手段は、同一の第１シグネチャパターンで送信されていない場合、前記相関結果の位相がＩＱ座標平面上の第１象限に位置すればＡＩＣＨのシンボルを正応答(Positive Acknowledgement)と判定することを特徴とする付記２に記載の無線通信装置。
【００４３】
（付記４）
前記判定手段は、ＥＡＩＣＨのシンボルを判定するまで、前記複数のシグネチャパターンから前記第２シグネチャパターンを順次選択することを特徴とする付記１−３のいずれか１項に記載の無線通信装置。
【００４４】
（付記５）
前記判定手段は、前記第２相関結果の位相が前記ＩＱ座標平面上の第１象限に位置する場合にはＥＡＩＣＨのシンボルを正応答と判定し、第３象限に位置する場合には負応答と判定することを特徴とする付記４に記載の無線通信装置。
【００４５】
（付記６）
無線通信装置におけるＡＩＣＨ（Acquisition Indicator Channel）およびＥＡＩＣＨ（Enhanced Acquisition Indicator Channel）の検出方法であって、
前記無線通信装置が、複数のシグネチャパターンを予め格納する格納手段と、前記複数のシグネチャパターンから選択されたシグネチャパターンと受信シンボルとの相関を計算する相関計算手段と、前記相関結果からパワーを計算するパワー計算手段と、前記相関結果と前記パワー計算結果とを用いてＡＩＣＨおよびＥＡＩＣＨのシンボルを判定する判定手段と、を有し、
前記判定手段が、前記複数のシグネチャパターンのうち制御信号の送信に用いた第１シグネチャパターンと前記受信シンボルとの第１相関結果のパワーとＩＱ座標平面上の位相とに基づいて、ＡＩＣＨおよびＥＡＩＣＨのシンボルを判定し、
前記第１相関結果の位相が前記ＩＱ座標平面上の第３象限に位置する場合には、
前記相関計算手段が前記第１シグネチャパターン以外の第２シグネチャパターンと前記受信シンボルとの第２相関結果を計算し、
前記判定手段が前記パワー計算手段により計算された前記第２相関結果のパワーとＩＱ座標平面上の位相とに基づいてＥＡＩＣＨのシンボルを判定する、
ことを特徴とするＡＩＣＨ／ＥＡＩＣＨ検出方法。
【００４６】
（付記７）
前記判定手段は、
前記パワー計算結果が所定のしきい値より大きいか否かに依存してＡＩＣＨおよびＥＡＩＣＨが同一の第１シグネチャパターンで送信されているか否かを判定し、
同一の第１シグネチャパターンで送信されていると判定された場合にはＡＩＣＨのシンボルを負応答(Negative Acknowledgement)と判定すると共に前記相関結果のＱ成分とＩ成分との比較結果に応じてＥＡＩＣＨのシンボルを判定する、ことを特徴とする付記６に記載のＡＩＣＨ／ＥＡＩＣＨ検出方法。
【００４７】
（付記８）
前記判定手段は、同一の第１シグネチャパターンで送信されていない場合、前記相関結果の位相がＩＱ座標平面上の第１象限に位置すればＡＩＣＨのシンボルを正応答(Positive Acknowledgement)と判定することを特徴とする付記７に記載のＡＩＣＨ／ＥＡＩＣＨ検出方法。
【００４８】
（付記９）
前記判定手段は、ＥＡＩＣＨのシンボルを判定するまで、前記複数のシグネチャパターンから前記第２シグネチャパターンを順次選択することを特徴とする付記６−８のいずれか１項に記載のＡＩＣＨ／ＥＡＩＣＨ検出方法。
【００４９】
（付記１０）
前記判定手段は、前記第２相関結果の位相が前記ＩＱ座標平面上の第１象限に位置する場合にはＥＡＩＣＨのシンボルを正応答と判定し、第３象限に位置する場合には負応答と判定することを特徴とする付記９に記載のＡＩＣＨ／ＥＡＩＣＨ検出方法。
【００５０】
（付記１１）
付記１−５のいずれか１項に記載された無線通信装置を備えた移動端末とＡＩＣＨおよびＥＡＩＣＨを送信する基地局とを有する移動通信システム。
【００５１】
（付記１２）
無線通信装置におけるプログラム制御プロセッサにＡＩＣＨ（Acquisition Indicator Channel）およびＥＡＩＣＨ（Enhanced Acquisition Indicator Channel）の検出機能を実現するプログラムであって、
前記無線通信装置が、複数のシグネチャパターンを予め格納する格納手段と、前記複数のシグネチャパターンから選択されたシグネチャパターンと受信シンボルとの相関を計算する相関計算手段と、前記相関結果からパワーを計算するパワー計算手段と、前記相関結果と前記パワー計算結果とを用いてＡＩＣＨおよびＥＡＩＣＨのシンボルを判定する判定手段と、を有し、
前記判定手段が、前記複数のシグネチャパターンのうち制御信号の送信に用いた第１シグネチャパターンと前記受信シンボルとの第１相関結果のパワーとＩＱ座標平面上の位相とに基づいて、ＡＩＣＨおよびＥＡＩＣＨのシンボルを判定し、
前記第１相関結果の位相が前記ＩＱ座標平面上の第３象限に位置する場合には、
前記相関計算手段が前記第１シグネチャパターン以外の第２シグネチャパターンと前記受信シンボルとの第２相関結果を計算し、
前記判定手段が前記パワー計算手段により計算された前記第２相関結果のパワーとＩＱ座標平面上の位相とに基づいてＥＡＩＣＨのシンボルを判定する、
ように前記プログラム制御プロセッサを機能させることを特徴とするプログラム。
【００５２】
（付記１３）
前記判定手段は、
前記パワー計算結果が所定のしきい値より大きいか否かに依存してＡＩＣＨおよびＥＡＩＣＨが同一の第１シグネチャパターンで送信されているか否かを判定し、
同一の第１シグネチャパターンで送信されていると判定された場合にはＡＩＣＨのシンボルを負応答(Negative Acknowledgement)と判定すると共に前記相関結果のＱ成分とＩ成分との比較結果に応じてＥＡＩＣＨのシンボルを判定する、
ように前記プログラム制御プロセッサを機能させることを特徴とする付記１２に記載のプログラム。
【００５３】
（付記１４）
前記判定手段は、同一の第１シグネチャパターンで送信されていない場合、前記相関結果の位相がＩＱ座標平面上の第１象限に位置すればＡＩＣＨのシンボルを正応答(Positive Acknowledgement)と判定する、ように前記プログラム制御プロセッサを機能させることを特徴とする付記１３に記載のプログラム。
【００５４】
（付記１５）
前記判定手段は、ＥＡＩＣＨのシンボルを判定するまで、前記複数のシグネチャパターンから前記第２シグネチャパターンを順次選択する、ように前記プログラム制御プロセッサを機能させることを特徴とする付記１２−１４のいずれか１項に記載のプログラム。
【００５５】
（付記１６）
前記判定手段は、前記第２相関結果の位相が前記ＩＱ座標平面上の第１象限に位置する場合にはＥＡＩＣＨのシンボルを正応答と判定し、第３象限に位置する場合には負応答と判定する、ように前記プログラム制御プロセッサを機能させることを特徴とする付記１５に記載のプログラム。
【産業上の利用可能性】
【００５６】
本発明はＷＣＤＭＡ無線通信システムにおける無線通信装置に適用可能である。
【符号の説明】
【００５７】
１０１  受信部
１０２  逆拡散部
１０３  伝送路推定部
１０４  シンボル相関計算部
１０５  ＡＩＣＨシグネチャパターン
１０６  ＥＡＩＣＨシグネチャパターン
１０７  検出部
２０１  制御部
２０２  シグネチャパターン保存部
２０３  シンボル相関計算部
２０４  パワー計算部
２０５  判定部
【図１】
0005684003.tif 000002
【図２】
0005684003.tif 000003
【図３】
0005684003.tif 000004
【図４】
0005684003.tif 000005
【図５】
0005684003.tif 000006
【図６】
0005684003.tif 000007
【図７】
0005684003.tif 000008